(57)【特許請求の範囲】
【請求項１】
第１の偏光方向の直線偏光の光を、記録媒体に照射する光照射系と、
前記光照射系より照射された光のうち、前記記録媒体において正反射された光を検出する正反射光検出系と、
前記光照射系より照射された光のうち、前記記録媒体において拡散反射された光を検出する前記第１の偏光方向に直交する第２の偏光方向の光を透過する光学素子を備えた拡散反射光検出系と、
を有する測定系を複数有しており、
前記光照射系の一つにより照射された光の前記記録媒体への入射面と、前記光照射系の他の一つにより照射された光の前記記録媒体への入射面とが異なるものであって、
各々の前記光照射系は、複数の発光部を有する面発光レーザアレイを含むものであり、
前記複数の発光部は、一の方向に関して、少なくとも一部の発光部間隔が、他の発光部間隔と異なることを特徴とする光学センサ。
【請求項２】
第１の偏光方向の直線偏光の光を、記録媒体に照射する複数の光照射系と、
前記光照射系より照射された光のうち、前記記録媒体において正反射された光を検出する複数の正反射光検出系と、
前記光照射系より照射された光のうち、前記記録媒体において拡散反射された光を検出する前記第１の偏光方向に直交する第２の偏光方向の光を透過する光学素子を備えた拡散反射光検出系と、
を有しており、
前記光照射系の一つにより照射された光の前記記録媒体への入射面と、前記光照射系の他の一つにより照射された光の前記記録媒体への入射面とが異なるものであって、
各々の前記光照射系は、複数の発光部を有する面発光レーザアレイを含むものであり、
前記複数の発光部は、一の方向に関して、少なくとも一部の発光部間隔が、他の発光部間隔と異なることを特徴とする光学センサ。
【請求項３】
前記複数の発光部は、二次元的に配列されていることを特徴とする請求項１または２に記載の光学センサ。
【請求項４】
前記発光部から射出される光の波長を時間的に変化させる機構を備えることを特徴とする請求項１から３のいずれかに記載の光学センサ。
【請求項５】
前記機構は、前記発光部に供給する駆動電流の大きさを時間的に変化させて、前記発光部から射出される光の波長を時間的に変化させることを特徴とする請求項４に記載の光学センサ。
【請求項６】
各々の前記光照射系により前記記録媒体に照射される光の照明中心は、略同じ位置であることを特徴とする請求項１から５のいずれかに記載の光学センサ。
【請求項７】
各々の前記光照射系により照射される光の前記記録媒体に対する各々の入射角度は、略同一であって、
前記記録媒体の表面と、前記光照射系により前記記録媒体に照射された光の照明中心と各々の前記正反射光検出系とを結ぶ直線とのなす角度は、各々略同一であって、
前記記録媒体の表面と、前記光の照明中心と各々の前記拡散反射光検出系とを結ぶ直線とのなす角度は、略直角であることを特徴とする請求項１から６のいずれかに記載の光学センサ。
【請求項８】
前記光照射系の一つより前記記録媒体に照射される光の前記記録媒体に平行な成分と、前記光照射系の他の一つにより前記記録媒体に照射される光の前記記録媒体に平行な成分とのなす角は、９０°以上、１８０°以下であることを特徴とする請求項１から７のいずれかに記載の光学センサ。
【請求項９】
前記光照射系の一つより前記記録媒体に照射される光の前記記録媒体に平行な成分と、前記光照射系の他の一つにより前記記録媒体に照射される光の前記記録媒体に平行な成分とのなす角は、９０°または、１８０°であることを特徴とする請求項１から７のいずれかに記載の光学センサ。
【請求項１０】
前記記録媒体は、正方形または長方形の形状であって、
前記光照射系のうち少なくとも１つは、前記光照射系から照射された光の光路が、前記記録媒体の一辺に平行な面に存在していることを特徴とする請求項１から９のいずれかに記載の光学センサ。
【請求項１１】
各々の前記光照射系より照射される光の照射時間が重複しないように、前記光照射系における光源を制御する制御部を有することを特徴とする請求項１から１０のいずれかに記載の光学センサ。
【請求項１２】
前記記録媒体上に画像を形成する画像形成装置において、
前記１から１１のいずれかに記載の光学センサを有することを特徴とする画像形成装置。
【請求項１３】
複数の前記記録媒体について、前記記録媒体における前記正反射光検出系からの出力範囲及び前記拡散反射光検出系からの出力範囲との関係を定めたテーブルを有し、
前記正反射光検出系及び前記拡散反射光検出系からの出力に基づき、前記記録媒体の種類を特定することを特徴とする請求項１２に記載の画像形成装置。
【請求項１４】
前記光学センサの出力に基づいて前記記録媒体の銘柄を特定し、前記特定された銘柄に応じて画像形成条件を調整する調整装置を備えることを特徴とする請求項１２または１３に記載の画像形成装置。
【請求項１５】
前記光学センサの出力に基づいて前記記録媒体の平滑度を特定し、前記特定された平滑度に応じて画像形成条件を調整する調整装置を備えることを特徴とする請求項１２または１３に記載の画像形成装置。
【請求項１６】
前記光学センサの出力に基づいて前記記録媒体の厚さを特定し、前記特定された厚さに応じて画像形成条件を調整する調整装置を備えることを特徴とする請求項１２または１３に記載の画像形成装置。
【請求項１７】
前記光学センサの出力に基づいて前記記録媒体の密度を特定し、前記特定された密度に応じて画像形成条件を調整する調整装置を備えることを特徴とする請求項１２または１３に記載の画像形成装置。
【発明の詳細な説明】
【技術分野】
【０００１】
本発明は、光学センサ及び画像形成装置に関する。
【背景技術】
【０００２】
デジタル複写機、レーザプリンタ等のいわゆる電子写真方式の画像形成装置は、記録紙等の記録媒体にトナー像を転写し、所定の条件で加熱及び加圧することにより、トナー像を記録紙等の記録媒体に定着させて画像を形成するものである。このような画像形成装置において考慮する必要があるのが、トナー像を定着する際の加熱量や圧力等の条件であり、特に、高画質な画像形成を行う際には、トナー像を定着するための条件を記録媒体の種類に応じて個別に設定する必要がある。
【０００３】
これは記録媒体に記録される画像品質が、記録媒体の材質、厚さ、湿度、平滑性及び塗工状態等により大きく影響されるからであり、例えば、平滑性に関しては、定着の際の条件によっては、記録媒体における凹凸の程度により、凹部におけるトナーの定着率が低くなり、高画質な画像を得ることができない。即ち、画像形成される記録媒体の平滑性に応じた条件で定着を行なわないと色むら等が生じてしまい、高画質な画像を得ることができない。
【０００４】
一方、近年の画像形成装置の進歩と表現方法の多様化に伴い、記録媒体となる記録紙の種類は数百種類以上存在し、更に、各々の記録紙の種類において坪量や厚さ等の違いにより多岐にわたる銘柄が存在している。このため、高画質な画像を形成するためには、記録紙等の記録媒体の種類や銘柄等に応じて、詳細な定着条件等を設定する必要がある。
【０００５】
このような記録媒体としては、普通紙、グロスコート紙、マットコート紙、アートコート紙等の塗工紙、ＯＨＰシート等の他に、紙の表面にエンボス加工を施した特殊紙等も存在しており、このような記録媒体は増加しつつある。また、記録媒体としては記録紙等以外の記録媒体も数多く存在している。
【０００６】
ところで、現状の画像形成装置においては、画像形成装置における定着条件等の設定は、ユーザ自ら行なう必要があり、このため、ユーザに様々な記録媒体の種類等の知識が必要となる。また、定着条件はユーザ自らが設定する場合、印刷等を行う際に煩わしくなり、更には、定着条件を誤って設定すると、所望の高画質な画像を得ることはできない。
【０００７】
このため、画像形成装置において、記録紙等の記録媒体の種類を自動で選別することのできる記録紙等の記録媒体識別センサ及び、このような記録媒体識別センサが搭載され、自動で記録媒体の選別を行ない画像形成することのできる画像形成装置に関する技術が検討されている。
【０００８】
記録紙等の記録媒体識別センサとしては、特許文献１に記載されているように触針式プローブにより表面の摩擦抵抗を検知する方法や、特許文献２に記載されているように、圧力センサ等により記録媒体のコシ（剛度）を検知する方法がある。また、特許文献３に記載されているように、非接触で記録媒体を識別する方法として、記録媒体の表面をエリアセンサ等の撮像素子により撮像し、撮像された画像より記録媒体の種類等を識別する方法がある。
【０００９】
また、他の非接触による記録媒体の識別方式としては反射光方式がある。反射光方式では、発光ダイオード（ＬＥＤ：Light Emitting Diode）等の光源から発せられた光を識別対象となる記録媒体に照射し、記録媒体からの反射光量により記録媒体の銘柄等を識別する方法である。この反射光方式は、以下の３種類の方法がある。
【００１０】
第１の方法は、特許文献４に記載されているように、記録媒体の表面に照射された光の正反射方向における反射光の光量を検出し、検出された正反射方向における光量に基づき記録媒体の銘柄等を識別する方法である。
【００１１】
第２の方法は、特許文献５に記載されているように、光量検出部を複数有するものであって、記録媒体の表面に照射された光の正反射方向における反射光の光量のみならず、散乱反射光の光量を検出し、検出された正反射方向における光量及び散乱反射光の光量に基づき記録媒体の銘柄等を識別する方法である。
【００１２】
第３の方法は、特許文献６に記載されているように、記録媒体の表面に照射された光の正反射方向における反射光を偏光ビームスプリッタにより分離し、分離された光の光量を測定し、測定された光量に基づき記録媒体の銘柄等を識別する方法である。
【発明の概要】
【発明が解決しようとする課題】
【００１３】
しかしながら、特許文献１及び２に記載されている方法は、接触方式であるため、記録媒体である記録紙等の表面に傷をつけてしまうといった問題点を有している。また、特許文献３に記載されている方法では、記録媒体の平滑性等は判別することができるものの、記録媒体の厚み等は判別することができない。また、特許文献４から６に記載されている方法では、記録媒体の大雑把な判別を行なうことは可能であるが、記録媒体の厚み等を含め詳細な判別を行なうことができない。
【００１４】
また、上述した方法に加えて、更に、超音波等を利用したセンサ等を搭載し、記録媒体の識別をより細かく行なうことも可能であるが、方式の異なる複数のセンサを搭載することにより、画像形成装置が大型化し、また、高コスト化するといった、新たな問題点が発生してしまう。
【００１５】
ところで、反射光量から印刷用紙の表面状態を検出するセンサでは、Ｓ／Ｎを向上させるため、光源に半導体レーザが用いられている場合があるが、この場合、印刷用紙の表面のような粗面に光束を照射するとスペックルパターンが発生する。このスペックルパターンは、光束の照射部位によって異なるため、受光部における検出光のばらつきの原因となり、印刷用紙の識別精度の低下を招いてしまう。よって、従来は、光源としてＬＥＤ等が一般的に用いられていた。
【００１６】
本発明は、上記を鑑みなされたものであり、記録媒体の識別を詳細に行なうことができる小型の光学センサを低コストで提供することを目的とするものであり、更には、このような光学センサを搭載することにより、高画質な画像を形成することが可能な画像形成装置を大型化させることなく低コストで提供することを目的とするものである。
【課題を解決するための手段】
【００１７】
本発明は、第１の偏光方向の直線偏光の光を、記録媒体に照射する光照射系と、前記光照射系より照射された光のうち、前記記録媒体において正反射された光を検出する正反射光検出系と、前記光照射系より照射された光のうち、前記記録媒体において拡散反射された光を検出する前記第１の偏光方向に直交する第２の偏光方向の光を透過する光学素子を備えた拡散反射光検出系と、を有する測定系を複数有しており、前記光照射系の一つにより照射された光の前記記録媒体への入射面と、前記光照射系の他の一つにより照射された光の前記記録媒体への入射面とが異なるものであって、各々の前記光照射系は、複数の発光部を有する面発光レーザアレイを含むものであり、前記複数の発光部は、一の方向に関して、少なくとも一部の発光部間隔が、他の発光部間隔と異なることを特徴とする。
【００１８】
また、本発明は、第１の偏光方向の直線偏光の光を、記録媒体に照射する複数の光照射系と、前記光照射系より照射された光のうち、前記記録媒体において正反射された光を検出する複数の正反射光検出系と、前記光照射系より照射された光のうち、前記記録媒体において拡散反射された光を検出する前記第１の偏光方向に直交する第２の偏光方向の光を透過する光学素子を備えた拡散反射光検出系と、を有しており、前記光照射系の一つにより照射された光の前記記録媒体への入射面と、前記光照射系の他の一つにより照射された光の前記記録媒体への入射面とが異なるものであって、各々の前記光照射系は、複数の発光部を有する面発光レーザアレイを含むものであり、前記複数の発光部は、一の方向に関して、少なくとも一部の発光部間隔が、他の発光部間隔と異なることを特徴とする。
【００１９】
また、本発明は、各々の前記光照射系により前記記録媒体に照射される光の照明中心は、略同じ位置であることを特徴とする。
【００２０】
また、本発明は、各々の前記光照射系により照射される光の前記記録媒体に対する各々の入射角度は、略同一であって、前記記録媒体の表面と、前記光照射系により前記記録媒体に照射された光の照明中心と各々の前記正反射光検出系とを結ぶ直線とのなす角度は、各々略同一であって、前記記録媒体の表面と、前記光の照明中心と各々の前記拡散反射光検出系とを結ぶ直線とのなす角度は、略直角であることを特徴とする。
【００２１】
また、本発明は、前記光照射系の一つより前記記録媒体に照射される光の前記記録媒体に平行な成分と、前記光照射系の他の一つにより前記記録媒体に照射される光の前記記録媒体に平行な成分とのなす角は、９０°以上、１８０°以下であることを特徴とする。
【００２２】
また、本発明は、前記光照射系の一つより前記記録媒体に照射される光の前記記録媒体に平行な成分と、前記光照射系の他の一つにより前記記録媒体に照射される光の前記記録媒体に平行な成分とのなす角は、９０°または、１８０°であることを特徴とする。
【００２３】
また、本発明は、前記記録媒体は、正方形または長方形の形状であって、前記光照射系のうち少なくとも１つは、前記光照射系から照射された光の光路が、前記記録媒体の一辺に平行な面に存在していることを特徴とする。
【００２４】
また、本発明は、各々の前記光照射系より照射される光の照射時間が重複しないように、前記光照射系における光源を制御する制御部を有することを特徴とする。
【００２５】
また、本発明は、各々の前記光照射系は、複数の発光部を有する面発光レーザアレイを含むものであることを特徴とする。
【００２６】
また、本発明は、前記複数の発光部は、二次元的に配列されていることを特徴とする。
【００２７】
また、本発明は、前記複数の発光部は、一の方向に関して、少なくとも一部の発光部間隔が、他の発光部間隔と異なることを特徴とする。
【００２８】
また、本発明は、前記発光部から射出される光の波長を時間的に変化させる機構を備えることを特徴とする。
【００２９】
また、本発明は、前記機構は、前記発光部に供給する駆動電流の大きさを時間的に変化させて、前記発光部から射出される光の波長を時間的に変化させることを特徴とする。
【００３０】
また、本発明は、前記記録媒体上に画像を形成する画像形成装置において、前記記載の光学センサを有することを特徴とする。
【００３１】
また、本発明は、複数の前記記録媒体について、前記記録媒体における前記正反射光検出系からの出力範囲及び前記拡散反射光検出系からの出力範囲との関係を定めたテーブルを有し、前記正反射光検出系及び前記拡散反射光検出系からの出力に基づき、前記記録媒体の種類を特定することを特徴とする。
【００３２】
また、本発明は、前記光学センサの出力に基づいて前記記録媒体の銘柄を特定し、前記特定された銘柄に応じて画像形成条件を調整する調整装置を備えることを特徴とする。
【００３３】
また、本発明は、前記光学センサの出力に基づいて前記記録媒体の平滑度を特定し、前記特定された平滑度に応じて画像形成条件を調整する調整装置を備えることを特徴とする。
【００３４】
また、本発明は、前記光学センサの出力に基づいて前記記録媒体の厚さを特定し、前記特定された厚さに応じて画像形成条件を調整する調整装置を備えることを特徴とする。
【００３５】
また、本発明は、前記光学センサの出力に基づいて前記記録媒体の密度を特定し、前記特定された密度に応じて画像形成条件を調整する調整装置を備えることを特徴とする。
【発明の効果】
【００３６】
本発明によれば、記録媒体の識別を詳細に行なうことができる小型の光学センサを低コストで提供することができ、更には、高画質な画像を形成することが可能な画像形成装置を大型化させることなく低コストで提供することができる。
【図面の簡単な説明】
【００３７】
【図１】記録紙からの反射光の説明図
【図２】内部拡散反射光量と記録紙の厚さの相関図
【図３】内部拡散反射光量と記録紙の密度の相関図
【図４】記録紙の流れ目に沿って光を照射した場合の反射光の説明図
【図５】記録紙の流れ目に垂直に光を照射した場合の反射光の説明図（１）
【図６】記録紙の流れ目に垂直に光を照射した場合の反射光の説明図（２）
【図７】スペックルパターンのコントラスト比に及ぼす発光部数の影響の説明図
【図８】発光部数を変化させたときと、各発光部の光量を変化させたときにおける、スペックルパターンのコントラスト比と総光量との関係の説明図
【図９】光源の駆動電流を変えたときのスペックルパターンの光強度分布の説明図
【図１０】光源の駆動電流を高速に変化させたときのスペックルパターンの実効的な光強度分布の説明図
【図１１】第１の実施の形態における光学センサの上面図
【図１２】第１の実施の形態における光学センサの側面図
【図１３】面発光レーザアレイの構造図
【図１４】第１の実施の形態における光学センサの制御方法の説明図
【図１５】記録紙の種類と正反射光検出系及び拡散反射光検出系の出力との関係図（１）
【図１６】記録紙の種類と正反射光検出系及び拡散反射光検出系の出力との関係図（２）
【図１７】第２の実施の形態における光学センサの上面図
【図１８】第２の実施の形態における光学センサの側面図
【図１９】第３の実施の形態における光学センサの上面図
【図２０】第４の実施の形態における光学センサの上面図
【図２１】第５の実施の形態における光学センサの上面図
【図２２】第５の実施の形態における光学センサの側面図
【図２３】第６の実施の形態における光学センサの上面図
【図２４】第６の実施の形態における光学センサの側面図
【図２５】第７の実施の形態におけるカラープリンタの構成図
【図２６】発光部間隔が等間隔ではない面発光レーザアレイの説明図
【図２７】発光部間隔が等間隔のときのスペックルパターンの光強度分布の説明図
【図２８】発光部間隔が等間隔ではないときのスペックルパターンの光強度分布の説明図
【図２９】測定面と記録紙表面のずれによる検出光量の変化の説明図
【発明を実施するための形態】
【００３８】
本発明を実施するための形態について、以下に説明する。尚、同じ部材等については、同一の符号を付して説明を省略する。
【００３９】
〔第１の実施の形態〕
（反射光の分類）
最初に、図１に基づき記録紙等の記録媒体に光を照射した場合の反射光について説明する。記録媒体である記録紙に光を照射した場合の反射光は、記録紙の表面における反射と記録紙の内部からの反射に分けることができる。また、記録紙の表面における反射光は、正反射された反射光と拡散反射された反射光とに分けることができる。ここでは便宜上、図１（ａ）に示される記録紙の表面において正反射された反射光を表面正反射光と記載し、図１（ｂ）に示される記録紙の表面において拡散反射された光を表面拡散反射光と記載する。尚、本実施の形態では、光を照射されるものが記録紙の記録媒体の場合について説明するが、例えば、樹脂製フィルム、布、皮膚等であってもよく、同様の測定等を行なうことができる。
【００４０】
記録媒体である記録紙の表面は、平面と斜面によって構成されており、記録紙の平滑性はこの割合で決まる。平面で反射された光は表面正反射光となり、斜面で反射された光は表面拡散反射光となり、記録紙の平滑性が高いほど表面正反射光の光量が増加する。
【００４１】
一方、記録媒体内部からの反射は、記録媒体が記録紙である場合、記録紙を構成する繊維により多重反射するため拡散反射光のみとなる。ここでは便宜上、図１（ｃ）に示される記録紙の内部において多重反射された拡散反射光を内部拡散反射光と記載する。
【００４２】
以上のように、記録媒体である記録紙からの反射光は、表面正反射光、表面拡散反射光、内部拡散反射光がある。このうち、記録紙の表面において反射した光は、偏光方向は回転しない。即ち、表面正反射光、表面拡散反射光は偏光方向が変化しない。これは、照射された光の偏光方向が回転するためには、照射された光が、光軸に対して回転の向きに傾斜した面で反射されることが必要であるからである。従って、光が発せられる光源と、光が照射される領域と、光検出器が同一平面に存在している場合には、偏光方向が回転する反射光は、光検出器の存在している方向には反射されないため、この配置の光検出器では検出されない。これに対し、内部拡散反射光は、記録紙の内部の繊維において多重反射された光であるため、偏光方向は、光源から発せられた光に対し回転している。
【００４３】
以上より、偏光方向の異なる光を分離する光学素子、例えば、偏光フィルタを光検出器の前に設けることにより、光源から発せられた直線偏光の偏光成分に対し垂直な方向の偏光成分の光を検出することができ、内部拡散反射光のみを分離して検出することができる。このように検出された内部拡散反射光の光量に基づき記録媒体である記録紙の種類や厚さ等を判別することが可能である。
【００４４】
具体的には、図２に示すように、内部拡散反射光量と記録紙の厚さとは相関関係があり、記録紙の厚さが厚くなると内部拡散反射光量の値が増加する。よって、内部拡散反射光量の値に基づき記録紙の厚さを判別することができる。また、図３に示すように、内部拡散反射光量と記録紙の密度とは相関関係があり、記録紙の密度が高くなると内部拡散反射光量の値が増加する。よって、内部拡散反射光量の値に基づき記録紙の密度を判別することができる。尚、図２及び図３は、記録紙の厚さ及び記録紙の密度の異なるものを複数用意して測定した結果である。
【００４５】
（記録紙の流れ目）
ところで、記録媒体である記録紙は、製造工程において一方向に流れるように製造される。これにより記録紙には流れ目と称される記録紙を構成する繊維の配向が生じている。この繊維の配向は記録紙の製造工程において記録紙が流れる方向に沿うように形成されている。このため、光の照射される方向によっては、同じ記録紙でも異なる反射特性が得られ、この反射特性に基づき記録紙の銘柄等を判別することが可能である。即ち、流れ目の程度の違いに基づき記録紙の銘柄を判別することが可能である。
【００４６】
このことを図４及び図５に基づき説明する。図４及び図５における記録紙１は、流れ目による凹凸の配向性が１００％のものを仮定したものであり、流れ目はＹ軸方向に沿ったものである。図４に示すように、記録紙１の流れ目に沿った方向より光１１を照射した場合、即ち、記録紙の流れ目と照射された光１１の光路とが同一平面にある場合、言い換えるならば、照射された光１１の光路がＹＺ面と平行な面に存在している場合、記録紙１の表面は平滑な平面とみなすことができ、照射された光１１の殆どは記録紙１の表面で正反射され表面正反射光１１ａとなり、表面拡散反射光は殆ど発生することはない。また、拡散反射光としては、記録紙１の内部において拡散反射された内部拡散反射光１１ｂが生じる。よって、この場合には、照射された光１１の反射光は、表面正反射光１１ａが殆どとなる。尚、図４（ａ）はこの状態を示す斜視図であり、図４（ｂ）は、記録紙１の流れ目に沿った面、即ち、ＹＺ面における断面を示すものである。
【００４７】
次に、図５に示すように、記録紙１の流れ目に対し垂直方向より光１２を照射した場合、即ち、記録紙１に照射される光１２の光路がＸＺ面と平行な面に存在している場合、記録紙１の表面は凹凸のある斜面とみなすことができ、照射された光１２の殆どは、表面で拡散反射され正反射されることはない。よって、表面拡散反射光１２ａの光量が多くなる。この場合も同様に、拡散反射光として、記録紙１の内部において拡散反射された内部拡散反射光１２ｂが生じるが光量は低く、照射された光１２の反射光は、表面拡散反射光１２ａが殆どとなる。尚、図５（ａ）はこの状態を示す斜視図であり、図５（ｂ）は、記録紙１の流れ目に垂直な面、即ち、ＸＺ面における断面を示すものである。
【００４８】
また、記録紙１の流れ目に対し垂直方向に光を入射させた場合には、記録紙１に対する光の入射方向により、検出される表面拡散反射光及び内部拡散反射光の光量が変化する。具体的には、図６に示すように、記録紙１の流れ目に対し垂直方向の光であって、相互に反対方向の光１３及び１４を入射させた場合、検出される表面拡散反射光及び内部拡散反射光の光量が変化する。これは、記録紙１の流れ目の両側における傾斜が異なることによるものであり、このような記録紙１の流れ目の両側の傾斜が異なっていることは確認されている。
【００４９】
即ち、記録紙１の流れ目に垂直な方向より記録紙１に対し略同じ角度で同様に光を入射させた場合であっても、記録紙１の入射する光の入射方向が異なると、記録紙１の凹凸の傾斜により入射角が異なる。具体的には、記録紙１に入射する光１３は、記録紙１の斜面に対し垂直に近い角度で入射するため、記録紙１の内部に入射する光は多くなり、正面拡散反射光１３ａは少なく、内部拡散反射光１３ｂは多くなる。また、記録紙１に入射する光１４は、記録紙１の斜面に対する入射角度が、光１３よりも鋭角な角度であるため、記録紙１の内部に入射する光は少なくなり、正面拡散反射光１４ａは多く、内部拡散反射光１４ｂは少なくなる。尚、このことは、記録紙１の流れ目に対し垂直に光を入射させた場合のことであり、記録紙１の流れ目に沿って光を照射させた場合には、光の入射方向を変えても表面正反射光と内部拡散反射光との割合等が変化することはない。
【００５０】
以上、記録紙に入射する光の入射方向と反射光の関係についてまとめると、記録紙の流れ目に沿って照射された光と記録紙の流れ目に垂直に照射された光とでは、表面正反射光と表面拡散反射光との割合が異なる。また、記録紙に入射する光の入射方向が反対方向、即ち、入射する光の入射方向の角度が１８０°となる場合については、記録紙の流れ目に沿って各々の光を入射させる場合には、光の入射方向の違いにより、表面正反射光及び内部拡散反射光の光量に変化はない。しかしながら、記録紙の流れ目に垂直に各々の光を入射させる場合には、光の入射方向が変わると、表面拡散反射光及び内部拡散反射光の光量に変化が生じる。
【００５１】
上記は、記録紙の流れ目の配向性が１００％である場合を想定したものであるが、実際の記録紙においては、流れ目は生じるものの、流れ目の配向性の程度等は製造工程、製造条件等により異なる。しかしながら、このような記録紙における特質に基づいて、記録紙に入射した光の反射光を表面正反射光、表面拡散反射光、内部拡散反射光に分けて光量を測定することにより、記録紙の銘柄及び種類等を詳細に判別することができ、記録紙の判別精度を向上させることができる。
【００５２】
（内部拡散反射光の検出精度）
次に、精度の高い内部拡散反射光の検出方法について説明する。精度の高い内部拡散反射光の検出を行なうためには、最初に、少なくとも検出方向に表面正反射光の成分を含まないことである。しかしながら、実際の照射系では完全な一方向のみの直線偏光の光、例えば、第１の偏光方向の直線偏光の光とすることは困難であり、表面における反射光にも第１の偏光方向に垂直な第２の偏光方向の成分が含まれてしまう。
【００５３】
具体的には、表面正反射光が検出される位置に光検出器を設置し、光学フィルタを用いて第２の偏光方向の光の成分の光量を検出した場合、記録紙に照射される光に第２の偏光方向の光の成分が含まれていると、この成分も光検出器で検出されてしまい、内部拡散反射光の光量を正確に検出することができない。この際、一般的に内部拡散反射光の光量は低いため、記録紙に照射される光に含まれている第２の偏光方向の光の成分の光量が、内部拡散反射光の光量よりも多くなる場合がある。また、記録紙に照射される光を完全な第１の偏光方向の光とすることも可能ではあるが、この場合、消光比の高い偏光フィルタを用いることが必要となり、高コスト化を招いてしまう。
【００５４】
次に、内部拡散反射光を検出する際には、記録紙の紙面に対し略垂直方向で行なうことである。これは、内部拡散反射光は完全拡散反射とみなすことができるため、検出方向に対する反射光量はランバーと分布により近似することができ、記録紙の紙面に対し垂直方向が最も反射光量が多くなる。内部拡散反射光は光量が微小であるため、Ｓ／Ｎ比を向上させる観点から、記録紙の紙面に対し垂直方向に受光部となる光検出器を設置することにより、最も精度を高くすることができる。但し、記録紙に照射する光の照射方向を変えた光源及び光検出器を複数設置する場合には、記録紙の紙面に垂直方向に複数の光検出器を設置する必要があるため、光検出器同士が干渉しない位置であって略垂直となる方向に設置することが好ましい。また、ビームスプリッタを設けて分光させること、駆動可能な偏光フィルタを設置することにより対応してもよい。
【００５５】
（スペックルノイズの抑制方法）
上記のように反射光量の観点からは、光源として半導体レーザを用いることが好ましい。しかしながら、記録紙の表面状態を検出する光学センサの光源に半導体レーザを用いた場合、出射されたコヒーレント光が、記録紙の表面のような粗面の各点で乱反射し干渉することにより、スペックルパターンが発生する。スペックルパターンは、反射方向でランダムに干渉し合うため、光検出器の出力においてはノイズとなり、Ｓ／Ｎを低減させてしまう。本願においては、このＳ／Ｎの低減のことをスペックルノイズと記載し、この対策を以下に記載する。
【００５６】
発明者らは、複数の発光部が２次元的に配列されている垂直共振器型の面発光レーザアレイ（ＶＣＳＥＬアレイ）を光源として用い、発光部の数（発光部数）とスペックルパターンのコントラスト比との関係について調べた。この結果を図７に示す。尚、本実施の形態では、スペックルパターンのコントラスト比とは、スペックルパターンの観測強度における最大値と最小値の差を規格化した値として定義する。
【００５７】
スペックルパターンの観測は、Ｙ軸方向（拡散方向）に関して、ビームプロファイラを用いて行ない、ビームプロファイラによる観測結果からスペックルパターンのコントラスト比を算出した。観測の対象となる試料には、互いに平滑度が異なる３種類の普通紙（普通紙Ａ、普通紙Ｂ、普通紙Ｃ）と光沢紙を用いた。普通紙Ａは王研式平滑度が３３秒の普通紙であり、普通紙Ｂは王研式平滑度が５０秒の普通紙であり、普通紙Ｃは王研式平滑度が１００秒の普通紙である。
【００５８】
図７に示されるように、発光部数が増加すると、スペックルパターンのコントラスト比が減少する傾向にある。また、この傾向は紙種には依存していない。
【００５９】
更に、発明者らは、このスペックルパターンのコントラスト比が低減する効果は、総光量の増加に起因するものではなく、発光部数の増加に起因するものであることを確認するための実験を行なった。この結果を図８に示す。
【００６０】
図８は、各発光部の光量は一定（１．６６ｍＷ）であって、発光部の数を変化させた場合と、発光部の数を３０個に固定して各発光部の光量を変化させた場合とについて、総光量に対するコントラスト比の変化を示すものである。
【００６１】
発光部数を固定して各発光部の光量を変化させた場合では、光量に依存することなくコントラスト比が一定であるのに対し、発光部数を変化させた場合では、低光量、即ち、発光部数が少ない場合にはコントラスト比が高く、発光部数が増加するに伴いコントラスト比が徐々に低下している。このことから、スペックルパターンにおけるコントラスト比の低減効果は、光量の増加に依存するものではなく、発光部数の増加に依存するものであることが確認された。
【００６２】
また、発明者らは、光源から出射される光の波長を時間的に変化させることにより、スペックルパターンを抑制することができるか否かの検討を行なった。
【００６３】
尚、面発光レーザ（ＶＣＳＥＬ）では、駆動電流によって出射光における波長を制御することが可能である。これは、駆動電流を変化させると、面発光レーザ内部において発熱するため屈折率が変化し、実効的な共振器長が変化するからである。
【００６４】
図９は、面発光レーザを光源とした場合において、駆動電流を変化させることにより、出射光量を１．４ｍＷ〜１．６ｍＷまで変化させた場合のスペックルパターンをビームプロファイラにより観測し、得られた光強度分布を示すものである。図９に示されるように、駆動電流の変化に伴い、光源から出射される光の波長が変化するため、光強度分布が変化することが確認される。
【００６５】
図１０は、駆動電流を高速に変化させた場合における実効的な光強度分布を示すものである。この光強度分布は、図９に示される複数の駆動電流における光強度分布の平均値と同等であり、光強度の変動が抑制されていることを確認することができる。このように駆動電流を変化させた場合におけるスペックルパターンのコントラスト比は０．７２となり、駆動電流を一定にした場合におけるスペックルパターンのコントラスト比０．９６よりも低くすることができる。
【００６６】
このため、面発光レーザを駆動する際、例えば、電流値の時間的変化が三角波形状となるように駆動電流を流すことにより、コントラスト比を低くすることが可能となる。
【００６７】
（光学センサ）
次に、本実施の形態における光学センサについて説明する。尚、本願明細書中においては、記録紙に照射される光は直線偏光の光でありＳ波であって、記録紙の紙面に略垂直方向に設置された光検出器がＰ波を検出した場合における反射光量をＳＰ強度と記載する。この反射光量は内部拡散反射光の光量である。同様に、記録紙に照射される光は直線偏光の光でありＰ波であって、記録紙の紙面に略垂直方向に設置された光検出器がＳ波を検出した場合における反射光量をＰＳ強度と記載する。
【００６８】
また、記録紙に照射される光は直線偏光の光でありＳ波であって、記録紙の紙面において正反射された光を検出する光検出器、即ち、記録紙に照射される光の入射角度と略同じ角度で反射された光を検出する光検出器は、偏光フィルタが設けられておらず、Ｓ波とＰ波の両方の成分を含む光が検出される。この光検出器において検出される反射光量をＳＮ強度と記載する。記録紙に照射される光、即ち、記録紙に入射する入射光の入射角度θ等は、記録紙の紙面の法線に対する角度であり、光検出器の設置する角度は、記録紙に入射した位置を基準として、記録紙の紙面に対する角度であり、角度φ、ψ等と表現する。尚、本実施の形態では、記録紙に照射される光がＳ波の場合について説明しているが、Ｐ波であってもよい。
【００６９】
次に、図１１及び図１２に基づき本実施の形態における光学センサをより詳細に説明する。本実施の形態における光学センサは、２の測定系を有するものであり、第１の測定系１１０と第２の測定系１２０を有している。第１の測定系１１０は、第１の光照射系１１１、第１の正反射光検出系１１２、第１の拡散反射光検出系１１３を有している。また、第２の測定系１２０は、第２の光照射系１２１、第２の正反射光検出系１２２、第２の拡散反射光検出系１２３を有している。
【００７０】
第１の測定系１１０及び第２の測定系１２０は、暗箱１８０により覆われており、暗箱１８０は記録紙１００の存在している面に光を記録紙１００に光を照射するための開口部１８１が設けられている。このように、第１の測定系１１０と第２の測定系１２０は、暗箱１８０と記録紙１００により囲まれており、外光等が外部より入射することはないため、正確な測定を行なうことができる。また、第１の光照射系１１１、第１の正反射光検出系１１２、第１の拡散反射光検出系１１３、第２の光照射系１２１、第２の正反射光検出系１２２及び第２の拡散反射光検出系１２３は、制御部１９０に接続されている。
【００７１】
また、本実施の形態では、第１の測定系１１０と第２の測定系１２０は、第１の光照射系１１１から出射された光の光路と第２の光照射系１２１から出射された光の光路とのなす角度が、ＸＹ面において１５０°となるように設置されている。即ち、第１の光照射系１１１から出射された光の記録紙１００に平行な成分と第２の光照射系１２１から出射された光の記録紙１００に平行な成分とのなす角度が１５０°となるように設置されている。尚、この角度は、９０°以上、１８０°以下であることが好ましい。この角度が９０°以上、１８０°以下であれば、第２の光照射系１２１から出射された光は、第１の光照射系１１１から出射された光に対し、図６に示されるような反対方向より照射される成分を有している。このため、より精度の高い記録媒体の識別を行なうことができる。また、本実施の形態では、ＸＹ面においてとは、ＸＹ面に投影された状態を意味するものとする。
【００７２】
第１の光照射系１１１は、光源１１４及びコリメータレンズ１１５等を有しており、第２の光照射系１２１も同様の光源及びコリメータレンズ等を有している。第１の光照射系１１１は、記録紙１００の法線に対し角度θ１で光が入射する位置に設置されており、第２の光照射系１２１は、記録紙１００の法線に対し角度θ２で光が入射する位置に設置されている。本実施の形態では、角度θ１と角度θ２は等しく、約８０°である。尚、角度θ１は、第１の光照射系１１１から記録紙１００に照射された光の方向と記録紙１００の紙面の法線とのなす角度であり、角度θ２は、第２の光照射系１２１から記録紙１００に照射された光の方向と記録紙１００の紙面の法線とのなす角度である。
【００７３】
第１の正反射光検出系１１２は、第１の光照射系１１１より記録紙１００に照射された光の表面正反射光を検出するためのものであり、フォトダイオード等の受光素子からなる光検出器１１６を有している。第２の正反射光検出系１２２は、第２の光照射系１２１より記録紙１００に照射された光の表面正反射光を検出するためのものであり、フォトダイオード等の受光素子からなる光検出器１２６を有している。
【００７４】
第１の拡散反射光検出系１１３は、第１の光照射系１１１より記録紙１００に照射された光の表面拡散反射光及び内部拡散反射光を検出するためのものであり、フォトダイオード等の受光素子からなる光検出器１１７を有しており、光検出器１１７の前には偏光フィルタ１１８が設けられている。第２の拡散反射光検出系１２３は、第２の光照射系１２１より記録紙１００に照射された光の表面拡散反射光及び内部拡散反射光を検出するためのものであり、フォトダイオード等の受光素子からなる光検出器１２７を有しており、光検出器１２７の前には偏光フィルタ１２８が設けられている。
【００７５】
暗箱１８０は、アルミニウム等の材料により形成されており、外乱光及び迷光による影響を防ぐため、表面、即ち外面と内面は黒アルマイト処理が施されている。尚、記録紙１００は紙面がＸＹ面に平行となるように設置されており、本実施の形態における光学センサは、記録紙１００に対し＋Ｚ側に設置されている。
【００７６】
第１の光照射系１１１及び第２の光照射系１２１における光源１１４等は、複数の発光部を有している。各々の発光部は、同一基板上に形成された垂直共振器型の面発光レーザ（Ｖｅｒｔｉｃａｌ  Ｃａｖｉｔｙ  Ｓｕｒｆａｃｅ  Ｅｍｉｔｔｉｎｇ  Ｌａｓｅｒ：ＶＣＳＥＬ）である。即ち、光源１１４等は、面発光レーザアレイ（ＶＣＳＥＬアレイ）を含むものである。
【００７７】
図１３に示すように、この面発光レーザアレイ２００は、ＶＣＳＥＬからなる発光部２０１と、各々の発光部２０１に接続される各々の配線２０２と、各々の配線２０２に接続される電極パッド２０３を有している。図１３には、一例として、９個（ｃｈ１〜ｃｈ９）の発光部２０１が２次元的に配列されているものを記載している。
【００７８】
また、本実施の形態において、制御装置のＣＰＵは、電流値の時間的変化が三角波形状となるような駆動電流を面発光レーザアレイに供給している。これにより、スペックルパターンが抑制され、記録紙の正確な反射光量を検出することが可能となり、記録紙の識別精度を高めることができる。即ち、駆動電流を三角波形状となるように時間的に変化させることにより、光源からの出射光の波長を時間的に変化させることができ、これにより、スペックルパターンを抑制することができる。
【００７９】
更に、面発光レーザアレイを用いた場合には、記録紙に照射される照射光を平行光にするための調整が容易となり、光学センサの小型化及び低コスト化を図ることが可能となる。
【００８０】
第１の光照射系１１１及び第２の光照射系１２１は、記録紙１００に対してＳ偏光の光が照射されるように形成されている。尚、光源１１４等として、ＬＥＤ、白色光等の無偏光光源を用いる場合には、光源１１４等から発せられた光をＳ偏光の光とするための偏光フィルタを設置し、偏光フィルタを透過させることによりＳ偏光の光とする必要がある。また、第１の光照射系１１１及び第２の光照射系１２１から照射された光の角度θ１、θ２は８０°であるが、入射光の角度θ１、θ２については、大きな角度の方が記録紙の種類等を判別する上では好ましいとされている。
【００８１】
コリメートレンズ１１５等は、光源１１４等から出射された光束の光路上に設置され、この光束を略平行光とするためのものである。コリメートレンズ１１５等により平行光となった光は、暗箱１８０に設けられている開口部１８１より記録紙１００に照射する。尚、本実施の形態では、この光が記録紙１００の表面に照射される領域を照射領域と記載し、照射領域の中心位置を「照明中心」と記載し、コリメートレンズ１１５等を介した光を「照射光」と記載する場合がある。本実施の形態では、第１の光照射系１１１から照射された光の照明中心と第２の光照射系１２１から照射された光の照明中心とは略同じ位置であり、双方の照射領域の面積も略等しくなるように設置されている。
【００８２】
ところで、媒質の境界面に光が入射するとき、照射光線と入射点における境界面の法線とを含む面は「入射面」と呼ばれている。そこで、照射光が本実施例の９個の発光部を持つＶＣＳＥＬアレイのように複数の光線からなる場合は、光線毎に入射面が存在することとなる。しかしながら、ここでは便宜上、ＶＣＳＥＬアレイのなかで中央に配置された発光部からの光の入射面を、記録紙における入射面ということとする。
【００８３】
第１の正反射光検出系１１２は、第１の光照射系１１１から記録紙１００に照射された光の反射光のうち、正反射の光を受光する位置に設置されている。即ち、記録紙１００の紙面に対する角度φ１が１７０°となる方向であって、第１の光照射系１１１と照明中心とを含む面上に設置されている。また、第２の正反射光検出系１２２は、第２の光照射系１２１から記録紙１００に照射された光の反射光のうち、正反射の光を受光する位置に設置されている。即ち、記録紙１００の紙面に対する角度φ２が１７０°となる方向であって、第２の光照射系１２１と照明中心とを含む面上に設置されている。
【００８４】
また、第１の正反射光検出系１１２における光検出器１１６及び第２の正反射光検出系１２２における光検出器１２６は、同じ受光径を有するフォトダイオードが用いられており、ともに照明中心から等距離となる位置に設置されている。尚、照明中心と光検出器１１６との間及び照明中心と光検出器１２６との間に、集光レンズを設置してもよく、この場合、照明中心と集光レンズとの距離等が均一となるように設置する。
【００８５】
第１の拡散反射光検出系１１３は、第１の光照射系１１１から出射された光の拡散反射光を検出するものであり、照明中心において記録紙１００の紙面に対する角度ψ１が約９０°となる方向に設置されている。第２の拡散反射光検出系１２３は、第２の光照射系１２１から出射された光の拡散反射光を検出するものであり、照明中心において記録紙１００の紙面に対する角度ψ２が約９０°となる方向に設置されている。尚、角度ψ１及びψ２は、９０°であることが好ましいが、第１の拡散反射光検出系１１３及び第２の拡散反射光検出系１２３は所定の大きさを有しているため、各々を設置する際に位置的に干渉する場合がある。よって、第１の拡散反射光検出系１１３と第２の拡散反射光検出系１２３は、相互に干渉しない角度であって、できるだけ９０°に近い角度、即ち、略９０°となるように設置することが好ましい。
【００８６】
第１の拡散反射光検出系１１３に設けられた偏光フィルタ１１８及び第２の拡散反射光検出系１２３に設けられた偏光フィルタ１２８は、ともにＰ偏光の光を透過し、Ｓ偏光の光を遮光する偏光フィルタである。尚、この偏光フィルタ１１８及び１２８に代えて、同等の機能を有する偏光ビームスプリッタを用いてもよい。また、第１の拡散反射光検出系１１３及び第２の拡散反射光検出系１２３は、照明中心から等距離の位置に設置されており、角度ψ１と角度ψ２は略等しい角度となるように設置されている。
【００８７】
本実施の形態では、第１の測定系１１０において、第１の光照射系１１１の光源１１４の中心と、照明中心と、第１の正反射光検出系１１２の光検出器１１６の中心と、第１の拡散反射光検出系１１３の光検出器１１７の中心及び偏光フィルタ１１８の中心は、同一平面に存在するように設置されている。同様に、第２の測定系１２０において、第２の光照射系１２１の光源の中心と、照明中心と、第２の正反射光検出系１２２の光検出器１２６の中心と、第２の拡散反射光検出系１２３の光検出器１２７の中心及び偏光フィルタ１２８の中心は、同一平面に存在するように設置されている。
【００８８】
また、第１の正反射光検出系１１２の光検出器１１６、第１の拡散反射光検出系１１３の光検出器１１７、第２の正反射光検出系１２２の光検出器１２６、第２の拡散反射光検出系１２３の光検出器１２７は、各々受光した光量に対応する電気信号（光電変換信号）を制御部１９０に出力する。尚、本実施の形態では、第１の光照射系１１１からの光を記録紙１００に照射した際、第１の正反射光検出系１１２の光検出器１１６の出力信号の信号レベルを「Ｓ１１」、第１の拡散反射光検出系１１３の光検出器１１７の出力信号の信号レベルを「Ｓ１２」と記載する。同様に、第２の光照射系１２１からの光を記録紙１００に照射した際、第２の正反射光検出系１２２の光検出器１２６の出力信号の信号レベルを「Ｓ２１」、第２の拡散反射光検出系１２３の光検出器１２７の出力信号の信号レベルを「Ｓ２２」と記載する。
【００８９】
本実施の形態では、第１の測定系１１０における測定と、第２の測定系１２０における測定とを独立に行なうため、制御部１９０において、第１の光照射系１１１における光照射のタイミングと、第２の光照射系１２１における光照射のタイミングとが重なることがないように光源１１４等の発光が制御されている。これにより第１の拡散反射光検出系１１３の光検出器１１７において検出される光量は、第１の光照射系１１１より照射された光の散乱光のみの光量とすることができ、第２の拡散反射光検出系１２３の光検出器１２７において検出される光量は、第２の光照射系１２１より照射された光の散乱光のみの光量とすることができる。具体的には、図１４に示すように、第１の光照射系１１１の発光のタイミングと、第２の光照射系１２１の発光のタイミングとは重なることがなく、また、第１の光照射系１１１が発光している間に信号レベルＳ１１及びＳ１２の検出が行なわれ、第２の光照射系１２１が発光している間に信号レベルＳ２１及びＳ２２の検出が行なわれる。
【００９０】
このようにして検出された信号レベルＳ１１、Ｓ１２、Ｓ２１、Ｓ２２に基づき、記録紙１００の種類、即ち、記録紙１００の銘柄、平滑度、厚さ、密度を判別する。具体的には、カラープリンタ等の画像形成装置において使用される複数の種類の記録紙について、予め各々の記録紙における信号レベルＳ１１、Ｓ１２、Ｓ２１、Ｓ２２を測定しておき、これに基づき、誤差範囲を含めた記録紙における信号レベルＳ１１、Ｓ１２、Ｓ２１、Ｓ２２の出力の範囲を記録紙に対応させた「記録紙判別テーブル」を作成する。この記録紙判別テーブルは、画像形成装置を出荷する前に、制御部１９０または、画像形成装置内に記憶されている。
【００９１】
これにより、画像形成装置により記録紙に印刷等を行なう場合には、本実施の形態における光学センサにより信号レベルＳ１１、Ｓ１２、Ｓ２１、Ｓ２２を測定し、この信号レベルに基づき、記録紙判別テーブルより、記録紙の種類、即ち、記録紙の銘柄、平滑度、厚さ、密度等を判別する。この判別は、画像形成装置内の調整装置等または制御部１９０において行なわれる。
【００９２】
この記録紙判別テーブルは、具体的には、図１５に示すように、各々の記録紙に対応する信号レベルＳ１１と信号レベルＳ１２との範囲、信号レベルＳ２１と信号レベルＳ２２との範囲が示されているものである。この記録紙判別テーブルに基づき、信号レベルＳ１１及びＳ１２が含まれる範囲と、信号レベルＳ２１及びＳ２２が含まれる範囲より、記録紙の種類、銘柄等を判別することができる。
【００９３】
例えば、図１５に示す場合において、ある記録紙において第１の測定系１１０により検出される信号レベルＳ１１及びＳ１２に基づく位置が点３０１である場合、点３０１は範囲３１１（銘柄ＡのＳ１１、Ｓ１２による出力範囲）内及び範囲３２１（銘柄ＢのＳ１１、Ｓ１２による出力範囲）内のいずれにも存在しており、この記録紙は銘柄Ａまたは銘柄Ｂであるものと考えられるが、どちらであるかは特定できない。ここで、第２の測定系１２０により検出される信号レベルＳ２１及びＳ２２に基づく位置が点３０２である場合、点３０２は範囲３１２（銘柄ＡのＳ２１、Ｓ２２による出力範囲）内には存在しているが、範囲３２２（銘柄ＢのＳ２１、Ｓ２２による出力範囲）内には存在していない。よって、この記録紙は銘柄Ａの記録紙であるものと判別することができる。
【００９４】
また、図１６に示す場合において、ある記録紙において第１の測定系１１０により検出される信号レベルＳ１１及びＳ１２に基づく位置が点３０３である場合、点３０３は範囲３３１（銘柄ＣのＳ１１、Ｓ１２による出力範囲）内のみに存在しており、この記録紙は銘柄Ｃであるものと考えられる。この場合、更に、第２の測定系１２０により検出される信号レベルＳ２１及びＳ２２に基づく位置が点３０４であり、点３０４は範囲３３２（銘柄ＣのＳ２１、Ｓ２２による出力範囲）内のみに存在しているため、この記録紙は銘柄Ｃの記録紙であることが確認される。
【００９５】
また、更に、Ｓ２１−Ｓ１１の値及びＳ２２−Ｓ１２の値に基づき記録紙の流れ目の方向も知ることが可能である。図１６に示す場合では、点３０３及び点３０４に基づくと、Ｓ２１−Ｓ１１の値は正であり、Ｓ２２−Ｓ１２の値は負である。このため、この記録紙の流れ目は、第２の測定系１２０における光路に沿う方向に近い方向、即ち、第２の測定系１２０における光路の記録紙１００に平行な面の成分に近い方向であるものと考えられる。このことは、前述したように、記録紙の流れ目に沿って光を照射した場合では、正反射光の光量が高くなり、流れ目に対し垂直に光を照射した場合では、拡散反射光の光量が高くなる。このことに基づくならば、正反射光量の差であるＳ２１−Ｓ１１の値が正であり、拡散反射光量の差であるＳ２２−Ｓ１２が負であるため、この記録紙の流れ目は、第２の測定系１２０における光路に沿う方向に近い方向であるものと考えられる。
【００９６】
本実施の形態では、記録紙の一点に光を照射した場合について説明したが、記録紙の複数の位置に光を照射し、これらの光の反射光を光検出器により検出し、検出された反射光の光量を平均することにより記録紙の種類等を判別してもよい。
【００９７】
本実施の形態における光学センサでは、２つの測定系を有しているため、測定系が１つの場合と比較して、記録紙の判別精度をより高めることができる。
【００９８】
また、本実施の形態において、記録紙の識別方法は、従来技術における識別方法の他に、従来は分離検出されていなかった記録紙の内部の情報を持つ内部旋光光量による紙種識別法を新たに加えたものである。拡散光の偏光成分が有している記録紙の情報の意味合いから適切な位置における偏光方向を検出することにより、従来の記録紙の表面の光沢度（平滑度）に加えて、厚みや密度の情報も得ることができ、記録紙の銘柄識別レベルの細分化が可能となる。
【００９９】
また、光源が複数の発光部を有しているため、内部拡散反射光に含まれるＰ偏光成分の光量を大きくすることができる。更に、光源が１つの発光部のみを有する場合に比べて、スペックルパターンのコントラスト比を低減させることができ、記録紙の識別の精度を向上させることができる。
【０１００】
また、電流値が時間的に変化する駆動電流により面発光レーザを駆動しているため、スペックルパターンのコントラスト比をより一層低減させることができる。
【０１０１】
〔第２の実施の形態〕
次に、第２の実施の形態について説明する。図１７及び図１８に基づき本実施の形態について説明する。本実施の形態における光学センサは、第１の実施の形態と同様の２つの測定系、即ち、第１の測定系１１０と第２の測定系１２０とを有するものであって、第１の測定系１１０と第２の測定系１２０は、第１の光照射系１１１から出射された光の光路と第２の光照射系１２１から出射された光の光路とがＸＹ面において、９０°となるように設置されているものである。言い換えるならば、第１の光照射系１１１から出射された光の記録紙１００に平行な成分と第２の光照射系１２１から出射された光の記録紙１００に平行な成分とのなす角度が９０°となるように設置されている。
【０１０２】
記録紙１００の配向方向と垂直な方向では、検出される２つの正反射光の差が最大となり、また、検出される２つの内部拡散反射光の差が最大となる。よって、第１の測定系１１０と第２の測定系１２０は、第１の光照射系１１１から出射された光の光路と第２の光照射系１２１から出射された光の光路とがＸＹ面において、９０°となるように設置することにより、精度の高い記録紙の判別を行なうことができる。
【０１０３】
また、通常、記録紙１００の形状は長方形のものが数多く用いられているが、本実施の形態では、第１の光照射系１１１から出射された光の光路が、記録紙１００の一方の辺に平行な面に存在し、また、第２の光照射系１１２から出射された光の光路が記録紙１００の他方の辺に平行な面に存在するように設置されている。即ち、ＸＹ面において、記録紙１００の一方の辺と第１の光照射系１１１から出射された光の光路とが略平行となるように設置されており、記録紙１００の他方の辺と第２の光照射系１２１から出射された光の光路とが略平行となるように設置されている。言い換えるならば、記録紙１００の一方の辺と第１の光照射系１１１から出射された光の記録紙１００に平行な成分とが略平行となり、記録紙１００の他方の辺と第２の光照射系１２１から出射された光の記録紙１００に平行な成分とが略平行となるように設置されている。尚、記録紙１００の形状が正方形の場合についても同様である。
【０１０４】
通常の記録紙を製造する際には、パルプから取り出された繊維が製造装置内を一方向に流れるように製造されるが、このように、製造装置内を一方向に流れることにより記録紙を構成する繊維が製造装置内を流れる方向に揃うようになる。このため、記録紙の流れる方向に沿って繊維が揃い、記録紙の流れる方向が繊維の配向方向となる。このように繊維が配向することにより凹凸が形成されるが、一般的には、記録紙は製造工程において、繊維の流れる方向と平行方向及び垂直方向に所定の大きさで裁断され記録紙が製造される。
【０１０５】
よって、第１の光照射系１１１から出射された光の光路が、記録紙１００の一方の辺に平行な面に存在し、第２の光照射系１１２から出射された光の光路が記録紙１００の他方の辺に平行な面に存在するように設置することにより、第１の測定系１１０と第２の測定系１２０とにおいて、検出される正反射光の差が最大となり、また、内部拡散反射光の差が最大となる。
【０１０６】
尚、上記以外の内容については、第１の実施の形態と同様である。
【０１０７】
〔第３の実施の形態〕
次に、第３の実施の形態について説明する。図１９に基づき本実施の形態について説明する。本実施の形態における光学センサは、第１の実施の形態と同様の２つの測定系、即ち、第１の測定系１１０と第２の測定系１２０とを有するものであって、第１の測定系１１０と第２の測定系１２０は、第１の光照射系１１１から出射された光の光路と第２の光照射系１２１から出射された光の光路とがＸＹ面において、１８０°となるように設置されているものである。言い換えるならば、第１の光照射系１１１から出射された光の記録紙１００に平行な成分と第２の光照射系１２１から出射された光の記録紙１００に平行な成分とのなす角度が１８０°となるように設置されているものである。
【０１０８】
このように、第１の測定系１１０と第２の測定系１２０との照射中心が異なる位置となるように、第１の測定系１１０及び第２の測定系１２０を設置することにより、ＸＹ面において、第１の光照射系１１１から出射された光と、第２の光照射系１２１から出射された光とが反対方向となるように記録紙１００に照射することができる。具体的には、図６に示す状態にすることができる。
【０１０９】
また、本実施の形態における光学センサでは、第１の拡散反射光検出系１１３を照射中心において記録紙１００に対し垂直方向となる方向に設置することができ、第２の拡散反射光検出系１２３を照射中心において記録紙１００に対し垂直方向となる方向に設置することができる。本実施の形態における光学センサは、このような配置を行なっても、第１の拡散反射光検出系１１３と第２の拡散反射光検出系１２３は干渉しないからである。
【０１１０】
尚、上記以外の内容については、第１の実施の形態と同様である。
【０１１１】
〔第４の実施の形態〕
次に、第４の実施の形態について説明する。図２０に基づき本実施の形態について説明する。本実施の形態における光学センサは、第１の測定系１１０及び第２の測定系１２０と同様の測定系を４つ有するものである。
【０１１２】
本実施の形態における光学センサは、４つの測定系における光路がＸＹ面において相互に９０°となる方向に配置されている。具体的には、第１の測定系と第２の測定系は、第１の光照射系１１１から出射された光の光路と第２の光照射系１２１から出射された光の光路とがＸＹ面において、９０°となるように設置されている。即ち、第１の測定系及び第２の測定系は、第１の光照射系１１１から出射された光の記録紙１００に平行な成分と第２の光照射系１２１から出射された光の記録紙１００に平行な成分のなす角度が９０°となるように設置されている。
【０１１３】
また、第３の光照射系１３１、第３の正反射光検出系１３２、第３の拡散反射光検出系１３３からなる第３の測定系は、第１の光照射系１１１から出射された光の光路と第３の光照射系１３１から出射された光の光路とがＸＹ面において、１８０°となるように設置されている。即ち、第３の測定系は、第１の光照射系１１１から出射された光の記録紙１００に平行な成分と第３の光照射系１３１から出射された光の記録紙１００に平行な成分のなす角度が１８０°となるように設置されている。
【０１１４】
また、第４の光照射系１４１、第４の正反射光検出系１４２、第４の拡散反射光検出系１４３からなる第４の測定系は、第２の光照射系１２１から出射された光の光路と第４の光照射系１４１から出射された光の光路とがＸＹ面において、１８０°となるように設置されている。即ち、第４の測定系は、第２の光照射系１２１から出射された光の記録紙１００に平行な成分と第４の光照射系１４１から出射された光の記録紙１００に平行な成分のなす角度が１８０°となるように設置されている。
【０１１５】
第３の光照射系１３１及び第４の光照射系１４１は、第１の光照射系１１１等と同様のものであり、第３の正反射光検出系１３２及び第４の正反射光検出系１４２は、第１の正反射光検出系１１２等と同様のものであり、第３の拡散反射光検出系１３３及び第４の拡散反射光検出系１４３は、第１の拡散反射光検出系１１３等と同様のものである。
【０１１６】
尚、本実施の形態では、各々光照射系と正反射光検出系の位置が干渉するため、照射中心から光照射系までの距離と照射中心から正反射光検出系までの距離とを変えること、または、光照射系をミラー等で反射した光を照射中心に照射すること等により各々の位置の干渉を防ぐことができる。
【０１１７】
本実施の形態において、第３の光照射系１３１からの光を記録紙１００に照射した際、第３の正反射光検出系１３２の光検出器の出力信号の信号レベルを「Ｓ３１」、第３の拡散反射光検出系１３３の光検出器の出力信号の信号レベルを「Ｓ３２」と記載する。また、第４の光照射系１４１からの光を記録紙１００に照射した際、第４の正反射光検出系１４２の光検出器の出力信号の信号レベルを「Ｓ４１」、第４の拡散反射光検出系１４３の光検出器の出力信号の信号レベルを「Ｓ４２」と記載する。
【０１１８】
この場合、前述したように、Ｓ１１とＳ３１は等しい値となり、Ｓ２１とＳ４１は等しい値となる。ここでの記録紙の判別方法としては、Ｓ１１（またはＳ３１）、Ｓ２１（またはＳ４１）、Ｓ１２とＳ３２の平均値、Ｓ２２とＳ４２の平均値を第１の実施の形態におけるＳ１１、Ｓ２１、Ｓ１２、Ｓ２２と置き換えることにより、同様に記録紙の判別を行なうことができる。これにより、本実施の形態における光学センサでは、より高い精度で記録紙の判別を行なうことができる。
【０１１９】
尚、上記以外の内容については、第１の実施の形態及び第２の実施の形態と同様である。と同様である。
【０１２０】
〔第５の実施の形態〕
次に、第５の実施の形態について説明する。本実施の形態は、２つの測定系を有するものであって、ビームスプリッタにより分光した光を第１の拡散反射光検出系１１３及び第２の拡散反射光検出系１２３に入射させる構造のものである。図２１及び図２２に基づき本実施の形態における光学センサについて説明する。
【０１２１】
本実施の形態における光学センサにおいては、第１の光照射系１１１及び第１の正反射光検出系１１２、第２の光照射系１２１及び第２の正反射光検出系１２２は、第２の実施の形態と同様の位置に配置されている。また、本実施の形態では、記録紙１００の紙面に対し照射中心において垂直方向にビームスプリッタ１５１が設けられている。このビームスプリッタ１５１により、ビームスプリッタ１５１に入射した光は、ビームスプリッタ１５１を直進する光と、ビームスプリッタ１５１により偏向される光とに分光することができる。ビームスプリッタ１５１により偏向される光は、第１の拡散反射光検出系１１３に入射し、ビームスプリッタ１５１を直進する光は、第２の拡散反射光検出系１２３に入射する。これにより、拡散反射光の光量が最も多くなる記録紙１００の紙面に対し垂直方向における拡散反射光を検出することが可能である。
【０１２２】
尚、第１の光照射系１１１及び第２の光照射系１２１より出射される光の偏光方向を各々所定の方向とし、第１の光照射系１１１及び第２の光照射系１２１を所定のタイミングで発光させることにより、ビームスプリッタ１５１を偏光ビームスプリッタにすることも可能である。この場合、第１の拡散反射光検出系１１３における偏光フィルタ１１８及び第２の拡散反射光検出系１２３における偏光フィルタ１２８は不要となる。
【０１２３】
尚、上記以外の内容については、第１の実施の形態及び第２の実施の形態と同様である。また、第１の実施の形態等においても同様に適用することが可能である。
【０１２４】
〔第６の実施の形態〕
次に、第６の実施の形態について説明する。本実施の形態は、２つの測定系を有するものであって、第１の実施の形態における第１の拡散反射光検出系１１３及び第２の拡散反射光検出系１２３を１つにしたものである。図２３及び図２４に基づき本実施の形態における光学センサについて説明する。
【０１２５】
本実施の形態における光学センサにおいては、第１の光照射系１１１及び第１の正反射光検出系１１２、第２の光照射系１２１及び第２の正反射光検出系１２２は、第１の実施の形態と同様の位置に配置されている。
【０１２６】
本実施の形態では、拡散反射光検出系１５３は、記録紙１００の照射中心における垂直方向に設置されている。拡散反射光検出系１５３は、フォトダイオード等の受光素子からなる光検出器１５７を有しており、光検出器１５７の前には偏光フィルタ１５８を有している。尚、光検出器１５７は、光検出器１１７等と同様のものであり、偏光フィルタ１５８は、偏光フィルタ１１８等と同様のものである。
【０１２７】
本実施の形態では、図１４に示すように、第１の光照射系１１１及び第２の光照射系１２１の発光を制御することにより、制御部１９０により拡散反射光検出系１５３により検出されるタイミングを制御することができ、信号レベルＳ１２とＳ２２とを分けて検出することができる。これにより、拡散反射光検出系１５３を１つにすることができ、より低コスト化及び小型化にすることができる。
【０１２８】
尚、上記以外の内容については、第１の実施の形態と同様である。また、本実施の形態は、第２の実施の形態等にも適用することが可能である。
【０１２９】
〔第７の実施の形態〕
次に、第７の実施の形態について説明する。本実施の形態は、第１から第６の実施の形態における光学センサを有する画像形成装置である。図２５に示すように、本実施の形態における画像形成装置は、カラープリンタ２０００である。
【０１３０】
このカラープリンタ２０００は、４色（ブラック、シアン、マゼンタ、イエロー）を重ね合わせてフルカラーの画像を形成するタンデム方式の多色カラープリンタであり、光走査装置２０１０、４つの感光体ドラム（２０３０ａ、２０３０ｂ、２０３０ｃ、２０３０ｄ）、４つのクリーニングユニット（２０３１ａ、２０３１ｂ、２０３１ｃ、２０３１ｄ）、４つの帯電装置（２０３２ａ、２０３２ｂ、２０３２ｃ、２０３２ｄ）、４つの現像ローラ（２０３３ａ、２０３３ｂ、２０３３ｃ、２０３３ｄ）、４つのトナーカートリッジ（２０３４ａ、２０３４ｂ、２０３４ｃ、２０３４ｄ）、転写ベルト２０４０、転写ローラ２０４２、定着装置２０５０、給紙コロ２０５４、レジストローラ対２０５６、排紙ローラ２０５８、給紙トレイ２０６０、排紙トレイ２０７０、通信制御装置２０８０、光学センサ２２４５、及び上記各部を統括的に制御するプリンタ制御装置２０９０などを備えている。
【０１３１】
通信制御装置２０８０は、ネットワークなどを介した上位装置（例えばパソコン）との双方向の通信を制御する。
【０１３２】
プリンタ制御装置２０９０は、ＣＰＵ、該ＣＰＵにて解読可能なコードで記述されたプログラム及び該プログラムを実行する際に用いられる各種データが格納されているＲＯＭ、作業用のメモリであるＲＡＭ、アナログデータをデジタルデータに変換するＡＤ変換回路などを有している。そして、プリンタ制御装置２０９０は、上位装置からの要求に応じて各部を制御するとともに、上位装置からの画像情報を光走査装置２０１０に送る。
【０１３３】
感光体ドラム２０３０ａ、帯電装置２０３２ａ、現像ローラ２０３３ａ、トナーカートリッジ２０３４ａ、及びクリーニングユニット２０３１ａは、組として使用され、ブラックの画像を形成する画像形成ステーション（以下では、便宜上「Ｋステーション」ともいう）を構成する。
【０１３４】
感光体ドラム２０３０ｂ、帯電装置２０３２ｂ、現像ローラ２０３３ｂ、トナーカートリッジ２０３４ｂ、及びクリーニングユニット２０３１ｂは、組として使用され、シアンの画像を形成する画像形成ステーション（以下では、便宜上「Ｃステーション」ともいう）を構成する。
【０１３５】
感光体ドラム２０３０ｃ、帯電装置２０３２ｃ、現像ローラ２０３３ｃ、トナーカートリッジ２０３４ｃ、及びクリーニングユニット２０３１ｃは、組として使用され、マゼンタの画像を形成する画像形成ステーション（以下では、便宜上「Ｍステーション」ともいう）を構成する。
【０１３６】
感光体ドラム２０３０ｄ、帯電装置２０３２ｄ、現像ローラ２０３３ｄ、トナーカートリッジ２０３４ｄ、及びクリーニングユニット２０３１ｄは、組として使用され、イエローの画像を形成する画像形成ステーション（以下では、便宜上「Ｙステーション」ともいう）を構成する。
【０１３７】
各感光体ドラムはいずれも、その表面に感光層が形成されている。すなわち、各感光体ドラムの表面がそれぞれ被走査面である。なお、各感光体ドラムは、不図示の回転機構により、図２５における面内で矢印方向に回転するものとする。
【０１３８】
各帯電装置は、対応する感光体ドラムの表面をそれぞれ均一に帯電させる。
【０１３９】
光走査装置２０１０は、上位装置からの多色の画像情報（ブラック画像情報、シアン画像情報、マゼンタ画像情報、イエロー画像情報）に基づいて、各色毎に変調された光束を、対応する帯電された感光体ドラムの表面にそれぞれ照射する。これにより、各感光体ドラムの表面では、光が照射された部分だけ電荷が消失し、画像情報に対応した潜像が各感光体ドラムの表面にそれぞれ形成される。ここで形成された潜像は、感光体ドラムの回転に伴って対応する現像ローラの方向に移動する。
【０１４０】
トナーカートリッジ２０３４ａにはブラックトナーが格納されており、該トナーは現像ローラ２０３３ａに供給される。トナーカートリッジ２０３４ｂにはシアントナーが格納されており、該トナーは現像ローラ２０３３ｂに供給される。トナーカートリッジ２０３４ｃにはマゼンタトナーが格納されており、該トナーは現像ローラ２０３３ｃに供給される。トナーカートリッジ２０３４ｄにはイエロートナーが格納されており、該トナーは現像ローラ２０３３ｄに供給される。
【０１４１】
各現像ローラは、回転に伴って、対応するトナーカートリッジからのトナーが、その表面に薄く均一に塗布される。そして、各現像ローラの表面のトナーは、対応する感光体ドラムの表面に接すると、該表面における光が照射された部分にだけ移行し、そこに付着する。すなわち、各現像ローラは、対応する感光体ドラムの表面に形成された潜像にトナーを付着させて顕像化させる。ここでトナーが付着した像（トナー画像）は、感光体ドラムの回転に伴って転写ベルト２０４０の方向に移動する。
【０１４２】
イエロー、マゼンタ、シアン、ブラックの各トナー画像は、所定のタイミングで転写ベルト２０４０上に順次転写され、重ね合わされて多色のカラー画像が形成される。
【０１４３】
給紙トレイ２０６０には記録紙が格納されている。この給紙トレイ２０６０の近傍には給紙コロ２０５４が配置されており、該給紙コロ２０５４は、記録紙を給紙トレイ２０６０から１枚ずつ取り出し、レジストローラ対２０５６に搬送する。該レジストローラ対２０５６は、所定のタイミングで記録紙を転写ベルト２０４０と転写ローラ２０４２との間隙に向けて送り出す。これにより、転写ベルト２０４０上のカラー画像が記録紙に転写される。ここで転写された記録紙は、定着装置２０５０に送られる。
【０１４４】
定着装置２０５０では、熱と圧力とが記録紙に加えられ、これによってトナーが記録紙上に定着される。ここで定着された記録紙は、排紙ローラ２０５８を介して排紙トレイ２０７０に送られ、排紙トレイ２０７０上に順次スタックされる。
【０１４５】
各クリーニングユニットは、対応する感光体ドラムの表面に残ったトナー（残留トナー）を除去する。残留トナーが除去された感光体ドラムの表面は、再度対応する帯電装置に対向する位置に戻る。
【０１４６】
光学センサ２２４５は、給紙トレイ２０６０内に収容されている記録紙の銘柄、平滑度、厚さ、密度等を特定するのに用いられる。具体的には、カラープリンタ２０００の内部でこの判定を行なう場合には、光学センサ２２４５により得られた数値等の情報に基づき、プリンタ制御装置２０９０等において記録紙の銘柄、平滑度、厚さ、密度等を特定する。よって、プリンタ制御装置２０９０等は画像形成条件を調整する調整装置としても機能も有するものである。
【０１４７】
この光学センサ２２４５は、第１から第６の実施の形態における光学センサである。本実施の形態における画像形成装置は、第１から第６の実施の形態における光学センサを搭載しているため、精度の高い記録紙の判別を低コストで行なうことができる。よって、精度の高い記録紙の判別を行なうことができる画像形成装置を低コストで得ることができる。また、第１から第６の実施の形態における光学センサは小型であるため、画像形成装置全体の大きさを大きくすることはない。
【０１４８】
また、本実施の形態において、光学センサ２２４５の識別レベルが、非塗工紙／塗工紙／ＯＨＰシートを特定するレベルで十分である場合には、拡散反射光検出系に設けられた偏光フィルタがなくてもよい。面発光レーザアレイを用いることにより、発光部が１つの場合よりも高い光量の光を記録紙に照射することができるため、反射光量におけるＳ／Ｎ比を向上させることができ、記録紙の識別精度を高めることができる。また、複数の発光部を同時に点灯させることにより、スペックルパターンのコントラスト比を低減させることができ、より正確に記録紙の反射光量の検出が可能となるため、記録紙の識別精度をより一層高めることができる。更に、面発光レーザアレイを用いた場合、従来用いられてきたＬＥＤ等では困難であった高密度な集積化が可能となる。即ち、コリメートレンズの光軸近傍にすべてのレーザ光を集めることができるため、入射角を一定にして複数の光束を略平行にすることが可能となり、容易にコリメート光学系を実現することが可能となる。
【０１４９】
また、本実施の形態においては、図２６に示されるように、面発光レーザアレイ２００ａにおける複数の発光部２０１は、少なくとも一部の発光部間隔（発光部２０１間の間隔）が、他の発光部間隔と異なるものであってもよい。この場合、スペックルパターンの規則性が乱され、スペックルパターンのコントラスト比を更に低減することが可能となる。言い換えるならば、本実施の形態においては、面発光レーザアレイにおける発光部間隔は、相互に相違しているものであることが好ましい。
【０１５０】
５個の発光部を１次元配列した面発光レーザアレイを含む光源において、発光部間隔を等間隔とした場合におけるスペックルパターンをビームプロファイラで観測して得られた光強度分布を図２７に示す。この場合には、発光部が配置されている規則性に対応した周期的な光強度分布の変化が確認される。この場合におけるコントラスト比は、０．６４であった。
【０１５１】
また、５個の発光部を１次元配列した面発光レーザアレイを含む光源において、発光部間隔の比が、１．０：１．９：１．３：０．７となるように不規則に配置されている場合におけるスペックルパターンをビームプロファイラで観測して得られた光強度分布を図２８に示す。この場合には、周期的な光の強度分布の変化は抑制されていることが確認される。この場合におけるコントラスト比は、０．５６となり、発光部を等間隔に配置した場合よりもコントラスト比を低減することができる。
【０１５２】
このように、複数の発光部を有する面発光レーザ等においては、発光部間隔を等間隔ではなく、不規則にすることにより、スペックルパターンをより一層抑制することが可能となる。
【０１５３】
また、本実施の形態においては、光検出器は受光器の前部に集光レンズが配置されていることがより好ましい。これにより、光を集光することにより検出光量の変化を低減させることができる。
【０１５４】
反射光量をもとに記録紙を判別する光学センサにおいて、測定の再現性は重要である。反射光量をもとに記録紙を判別する光学センサは、測定時に測定面と記録紙の表面が同一平面にあることを前提として測定系を設置している。しかしながら、記録紙は、たわみや振動等の理由から、測定面に対し記録紙表面が傾斜または距離が離れてしまい測定面と記録紙の表面とが同一平面とならない場合が生じる。このため、実際の測定においては、反射光量が変化し、安定して記録紙の詳細な判別を行なうことができない。ここで、例として、正反射について説明する。
【０１５５】
図２９（ａ）に示されるように、測定面と記録紙１００の表面とが同一平面にある場合では、光照射系１０１より照射された照射光が記録紙１００により正反射され、正反射検出系１０２は、正反射された正反射光を受光し検出することができる。
【０１５６】
これに対し、図２９（ｂ）に示されるように、測定面に対し記録紙１００の表面が角度αだけ傾斜している場合では、図２９（ａ）における場合と同様に光照射系１０１及び正反射検出系１０２が配置されているとすると、記録紙１００において正反射した光は所定の反射光の光路に対し、２αずれた方向に進む。このため、正反射検出系１０２において受光する光は、記録紙１００における正反射光の光路に対し、角度が２αずれた光である。即ち、照射領域の中心位置と正反射検出系１０２との距離をＬとすると、Ｌ×ｔａｎ２αだけずれた位置で、正反射検出系１０２は光を検出することになる。また、実際の入射角度は、所定の入射角度θからαだけずれているため、記録紙１００における反射率も変化してしまう。このため正反射検出系１０２において検出される検出光量に変化が生じ、記録紙１００の詳細な判別が困難なものとなってしまう。
【０１５７】
また、図２９（ｃ）に示されるように、測定面に対し記録紙１００の表面がｄだけ高さ方向、即ち、Ｚ軸方向にずれた場合では、図２９（ａ）における場合と同様に光照射系１０１及び正反射検出系１０２が配置されているとすると、このずれに伴い、正反射光の光路は、所定の位置から２ｄ×ｓｉｎθだけずれる。このため、記録紙１００からの正反射光の光路に対し、２ｄ×ｓｉｎθだけずれた位置で、正反射検出系１０２は光を検出することになる。このため正反射検出系１０２において検出される検出光量に変化が生じ、記録紙１００の詳細な判別が困難なものとなってしまう。
【０１５８】
このため、正反射検出系１０２において確実に記録紙１００からの正反射光を検出することができるよう、正反射検出系１０２の受光器の前部に集光レンズを配置する。これにより、測定面と記録紙１００とがずれることにより、正反射光の光路がずれた場合であっても、確実に正反射検出系１０２の受光器に正反射光を入射させることができる。
【０１５９】
また、正反射検出系１０２の受光器に、受光領域が十分大きいフォトダイオード（ＰＤ）を用いることにより、正反射光の光路がずれた場合であっても、受光領域において受光することができるようにしてもよい。また、照射光のビーム径を狭めたりしてもよい。
【０１６０】
また、正反射検出系１０２の受光器に、アレイ化されたフォトダイオードを用いて、正反射光の光路のずれに対し、十分大きな受光領域を有する構成としてもよい。この場合、正反射光の光路がずれたとしても、各々のフォトダイオードが検出した光信号のうち、最大のものを正反射光の信号とすることができる。また、アレイ化されている場合、個々のフォトダイオードの受光領域を小さくすることができ、正反射光と受光領域の中心のずれによる出力の変動も低減することができるため、より正確な検出を行なうことができる。
【０１６１】
尚、上記においては、便宜上、正反射光について説明したが、表面拡散反射や内部拡散反射においても、測定面と記録紙１００の表面とのずれは生じるため、同様に適用することが可能である。
【０１６２】
以上の実施の形態の説明においては、光学センサは、記録紙に照射される光がＳ偏光の場合について説明したが、これに限定されるものではなく、記録紙に照射される光がＰ偏光であってもよい。但し、この場合は、前記偏光フィルタに代えて、Ｓ偏光を透過させる偏光フィルタが用いられる。
【０１６３】
また、外乱光や迷光の影響で、誤った紙種判別をする恐れがある場合には、光検出系を増やしても良い。例えば、表面拡散反射光を受光する光検出系を追加配置し、その出力信号も判別の手段としてもよい。
【０１６４】
また、上述した実施の形態における光学センサでは、照射光及び反射光の光路はミラーによって曲げられていてもよい。その際、曲げられた光路上に光検出器の中心点が配置される。この場合は、光源及び光検出器を傾斜した状態でそれぞれ支持する部材が不要であり、かつ電気回路を簡素化することができる。これにより、低コストで、小型化が可能な光学センサを実現できる。
【０１６５】
また、上述した実施の形態における光学センサは、給紙トレイ内に積層された記録紙を対象として設置される。なお、搬送中に記録紙の銘柄を特定してもよい。この場合は、光学センサは搬送路近傍に配置される。
【０１６６】
また、上述した実施の形態における光学センサによって識別される対象物は、記録紙に限定されるものではない。
【０１６７】
以上、本発明の実施に係る形態について説明したが、上記内容は、発明の内容を限定するものではない。
【符号の説明】
【０１６８】
１００      記録紙
１１０      第１の測定系
１１１      第１の光照射系
１１２      第１の正反射光検出系
１１３      第１の拡散反射光検出系
１１４      光源
１１５      コリメータレンズ
１１６      光検出器
１１７      光検出器
１１８      偏光フィルタ
１２０      第２の測定系
１２１      第２の光照射系
１２２      第２の正反射光検出系
１２３      第２の拡散反射光検出系
１２６      光検出器
１２７      光検出器
１２８      偏光フィルタ
１８０      暗箱
１８１      開口部
１９０      制御部
２００      面発光レーザアレイ
２０１      発光部（ＶＣＳＥＬ）
２０２      配線
２０３      電極パッド
２０００    カラープリンタ（画像形成装置）
【先行技術文献】
【特許文献】
【０１６９】
【特許文献１】特開２００２−３４０５１８号公報
【特許文献２】特開２００３−２９２１７０号公報
【特許文献３】特開２００５−１５６３８０号公報
【特許文献４】特開平１０−１６０６８７号公報
【特許文献５】特開２００６−０６２８４２号公報
【特許文献６】特開平１１−２４９３５３号公報
【図１】
0005953671.tif 000002
【図２】
0005953671.tif 000003
【図３】
0005953671.tif 000004
【図４】
0005953671.tif 000005
【図５】
0005953671.tif 000006
【図６】
0005953671.tif 000007
【図７】
0005953671.tif 000008
【図８】
0005953671.tif 000009
【図９】
0005953671.tif 000010
【図１０】
0005953671.tif 000011
【図１１】
0005953671.tif 000012
【図１２】
0005953671.tif 000013
【図１３】
0005953671.tif 000014
【図１４】
0005953671.tif 000015
【図１５】
0005953671.tif 000016
【図１６】
0005953671.tif 000017
【図１７】
0005953671.tif 000018
【図１８】
0005953671.tif 000019
【図１９】
0005953671.tif 000020
【図２０】
0005953671.tif 000021
【図２１】
0005953671.tif 000022
【図２２】
0005953671.tif 000023
【図２３】
0005953671.tif 000024
【図２４】
0005953671.tif 000025
【図２５】
0005953671.tif 000026
【図２６】
0005953671.tif 000027
【図２７】
0005953671.tif 000028
【図２８】
0005953671.tif 000029
【図２９】
0005953671.tif 000030